(57)【要約】【課題】細長部材の周囲において治具を回転させることなくスパイラルチューブを細長部材に取付けることができるスパイラルチューブ用治具、スパイラルチューブ取付け方法及びスパイラルチューブ取外し方法を提供する。【解決手段】ＬＥＤ２０に取付可能な嵌合部１３と、嵌合部１３に接続され、スパイラルチューブ３０を案内する案内部１１と、案内部１１に設けられ、スパイラルチューブ３０を挿入可能な挿入穴１２とを備え、挿入穴１２の方向は、ＬＥＤ２０の周方向であって、ＬＥＤ２０の長手方向に垂直な方向に対し、角度差を有する方向である。【選択図】図６
2020157403.tif 000002
【特許請求の範囲】
【請求項１】
円柱状の細長部材にスパイラルチューブを取付け又は取外すスパイラルチューブ用治具であって、
前記細長部材に取付け可能な取付部と、
前記取付部に接続され、前記スパイラルチューブを案内する案内部と、
前記案内部に設けられ、前記スパイラルチューブを挿入可能な挿入部と
を備え、
前記挿入部の方向は、前記細長部材の周方向であって、前記細長部材の長手方向に垂直な方向に対し、角度差を有する方向であるスパイラルチューブ用治具。
【請求項２】
前記案内部は、前記細長部材の径方向を軸に回転可能に設けられている請求項１に記載のスパイラルチューブ用治具。
【請求項３】
前記取付部は、前記細長部材の表面に形成された溝部に嵌合可能な突起部を有する請求項１又は２に記載のスパイラルチューブ用治具。
【請求項４】
前記取付部は半円筒状の形状を有し、
前記取付部の周方向端部に、前記細長部材に接触して前記細長部材を保持する保持部材が設けられている請求項１〜３のいずれか一項に記載のスパイラルチューブ用治具。
【請求項５】
前記挿入部の方向に沿って形成された第２案内部を有し、
前記スパイラルチューブは、前記挿入部に挿入された後に前記第２案内部に沿って移動する請求項１〜４のいずれか一項に記載のスパイラルチューブ用治具。
【請求項６】
円柱状の細長部材にスパイラルチューブを取付けるスパイラルチューブ取付け方法であって、
前記細長部材に取付け可能な取付部と、
前記取付部に接続し、前記スパイラルチューブを案内する案内部と、
前記案内部に設けられ、前記スパイラルチューブを挿入可能な挿入部と
を備え、
前記挿入部の方向は、前記細長部材の周方向であって、前記細長部材の長手方向に垂直な方向に対し、角度差を有する方向であるスパイラルチューブ用治具を、
前記細長部材に取付け、
前記スパイラルチューブを、前記挿入部に挿入して前記細長部材に取付けるスパイラルチューブ取付け方法。
【請求項７】
前記スパイラルチューブを、作業者が前記スパイラルチューブの螺旋の方向に回転させながら前記挿入部に挿入する請求項６に記載のスパイラルチューブ取付け方法。
【請求項８】
円柱状の細長部材に取付けられたスパイラルチューブを取外すスパイラルチューブ取外し方法であって、
前記細長部材に取付け可能な取付部と、
前記取付部に接続し、前記スパイラルチューブを案内する案内部と、
前記案内部に設けられ、前記スパイラルチューブを挿入可能な挿入部と
を備え、
前記挿入部の方向は、前記細長部材の周方向であって、前記細長部材の長手方向に垂直な方向に対し、角度差を有する方向であるスパイラルチューブ用治具を、
前記細長部材に取付け、
前記挿入部の方向に沿って形成された第２案内部を前記細長部材に取付け、
前記スパイラルチューブを、前記挿入部に挿入した後に前記第２案内部に沿って移動して前記細長部材から取外すスパイラルチューブ取外し方法。
【発明の詳細な説明】
【技術分野】
【０００１】
この発明は、スパイラルチューブ用治具、スパイラルチューブ取付け方法及びスパイラルチューブ取外し方法に関する。
【背景技術】
【０００２】
螺旋状に巻回されたスパイラルチューブを、パイプやワイヤー等の細長部材に取付けるために使用されるスパイラルチューブ用治具が知られている。特許文献１に記載されたスパイラルチューブ用治具は、内部にワイヤーを通すことのできる筒状部材であり、ワイヤーの長さ方向に延びる切込みを有している。そして、その切込みにスパイラルチューブを挿入することで、治具内部に通されているワイヤーにスパイラルチューブを巻付けて取り付けることができる。
【先行技術文献】
【特許文献】
【０００３】
【特許文献１】特開２００１−２３６８３９号公報
【発明の概要】
【発明が解決しようとする課題】
【０００４】
しかしながら、このようなスパイラルチューブ用治具を用いてワイヤーにスパイラルチューブを取付ける場合には、治具そのものをワイヤーを中心に回転させながらワイヤーの延びる方向へ移動させることが必要である。そのため治具の回転半径内に何らかの固定物が設置されている場所においては、治具を使用できないという問題点があった。
【０００５】
この発明は、このような課題を解決するためになされたものであり、細長部材の周囲において治具を回転させることなくスパイラルチューブを細長部材に取付け又は取外すことができるスパイラルチューブ用治具、スパイラルチューブ取付け方法及びスパイラルチューブ取外し方法を提供することを目的とする。
【課題を解決するための手段】
【０００６】
上記の課題を解決するために、この発明に係るスパイラルチューブ用治具は、円柱状の細長部材にスパイラルチューブを取付け又は取外すスパイラルチューブ用治具であって、細長部材に取付可能な取付部と、取付部に接続され、スパイラルチューブを案内する案内部と、案内部に設けられ、スパイラルチューブを挿入可能な挿入部とを備え、挿入部の方向は、細長部材の周方向であって、細長部材の長手方向に垂直な方向に対し、角度差を有する方向である。
【０００７】
また、案内部は、細長部材の径方向を軸に回転可能に設けられていてもよい。
また、取付部は、細長部材の表面に形成された溝部に嵌合可能な突起部を有してもよい。
また、取付部は半円筒状の形状を有し、取付部の周方向端部に、細長部材に接触して細長部材を保持する保持部材が設けられていてもよい
また、挿入部方向に沿って形成された第２案内部を有し、スパイラルチューブは、挿入部に挿入された後に第２案内部に沿って移動してもよい。
【０００８】
また、上記の課題を解決するために、この発明に係るスパイラルチューブ取付け方法は、円柱状の細長部材にスパイラルチューブを取付けるスパイラルチューブ取付け方法であって、細長部材に取付け可能な取付部と、取付部に接続され、スパイラルチューブを案内する案内部と、案内部に設けられ、スパイラルチューブを挿入可能な挿入部とを備え、挿入部の方向は、細長部材の周方向であって、細長部材の長手方向に垂直な方向に対し、角度差を有する方向であるスパイラルチューブ用治具を、細長部材に取付け、スパイラルチューブを挿入部に挿入して、細長部材に取付ける。
【０００９】
また、スパイラルチューブを、作業者がスパイラルチューブの螺旋の方向に回転させながら前記挿入部に挿入してもよい。
【００１０】
また、上記の課題を解決するために、この発明に係るスパイラルチューブ取外し方法は、円柱状の細長部材に取付けられたスパイラルチューブを取外すスパイラルチューブ取外し方法であって、細長部材に取付け可能な取付部と、前記取付部に接続され、スパイラルチューブを案内する案内部と、前記案内部に設けられ、前記スパイラルチューブを挿入可能な挿入部とを備え、前記挿入部の方向は、前記細長部材の周方向であって、前記細長部材の長手方向に垂直な方向に対し、角度差を有する方向であるスパイラルチューブ用治具を、前記細長部材に取付け、前記挿入部の方向に沿って形成された第２案内部を前記細長部材に取付け、前記スパイラルチューブを、前記挿入部に挿入した後に前記第２案内部に沿って移動して前記細長部材から取外す。
【発明の効果】
【００１１】
この発明に係るスパイラルチューブ用治具、スパイラルチューブ取付け方法及びスパイラルチューブ取外し方法は、スパイラルチューブを案内する案内部と、案内部に設けられスパイラルチューブを挿入可能な挿入部とを備えるスパイラルチューブ用治具を細長部材に取付け、挿入部の方向は、細長部材の周方向であって、細長部材の長手方向に垂直な方向に対し、角度差を有する方向であるため、細長部材の周囲において治具を回転させることなくスパイラルチューブを細長部材に取付け、又は取外すことができる。
【図面の簡単な説明】
【００１２】
【図１】この発明の実施の形態１に係るスパイラルチューブ用治具の使用状態を示す概略図である。
【図２】図１に示すスパイラルチューブ用治具の概略図である。
【図３】図２に示すスパイラルチューブ用治具の平面図である。
【図４】図１に示すスパイラルチューブ用治具の設置部分の拡大図である。
【図５】図４に示すスパイラルチューブ用治具の設置部分の側面図である。
【図６】図２に示すスパイラルチューブ用治具によるスパイラルチューブの取付例である。
【図７】図２に示すスパイラルチューブ用治具によるスパイラルチューブの取付例である。
【図８Ａ】この発明の実施の形態２に係るスパイラルチューブ用治具の概略図である。
【図８Ｂ】この発明の実施の形態２に係るスパイラルチューブ用治具の使用状態を示す概略図である。
【図８Ｃ】この発明の実施の形態２に係るスパイラルチューブ用治具の使用状態を示す側面図である。
【図９Ａ】この発明の実施の形態２に係るスパイラルチューブ用治具の概略図である。
【図９Ｂ】この発明の実施の形態２に係るスパイラルチューブ用治具の使用状態を示す概略図である。
【図９Ｃ】この発明の実施の形態２に係るスパイラルチューブ用治具の使用状態を示す側面図である。
【図１０】この発明の実施の形態３に係るカバーガイドの概略図である。
【図１１】この発明の実施の形態３に係るカバーガイドの使用状態を示す概略図である。
【発明を実施するための形態】
【００１３】
実施の形態１．
以下、この発明の実施の形態１について添付図面に基づいて説明する。
図１に示すように、スパイラルチューブ用治具１０は、使用時に直管形のＬＥＤ２０に取付けられている。ＬＥＤ２０の一端を第１ＬＥＤ端部２１とし、他端を第２ＬＥＤ端部２２とする。スパイラルチューブ用治具１０は、第１ＬＥＤ端部２１に取付けられている。スパイラルチューブ用治具１０は樹脂により形成されている。また、ＬＥＤ２０は細長部材を構成している。
【００１４】
ＬＥＤ２０には、スパイラルチューブ３０が取付けられている。スパイラルチューブ３０は、細長に且つ薄く形成した透明な樹脂を螺旋状に巻回した透明なスパイラルチューブである。スパイラルチューブ３０は、スパイラルチューブ用治具１０の案内部１１に設けられた挿入穴１２に挿入されている。また、スパイラルチューブ３０には、ＬＥＤ２０の照射する光を吸収し蓄光する蓄光剤が含有されている。なお、図１に示すスパイラルチューブ３０は第１ＬＥＤ端部２１から第２ＬＥＤ端部２２へ左ねじの方向に巻回されているが、右ねじの方向に巻回されるものであってもよい。
【００１５】
蓄光剤が含有されたスパイラルチューブ３０がＬＥＤ２０に取付けられているため、このようなＬＥＤ２０を照明として用いているときに停電等によりＬＥＤ２０が消灯した場合に、ＬＥＤ２０の光を蓄光していたスパイラルチューブ３０の蓄光剤が発光して照明効果を得ることができる。また、スパイラルチューブ３０によりＬＥＤ２０の表面を保護することができる。
【００１６】
図２に示すようにスパイラルチューブ用治具１０は、ＬＥＤ２０（図１参照）の長手方向に沿って延び、ＬＥＤ２０に嵌合可能な半円筒状の嵌合部１３と、嵌合部１３に接続された案内部１１と、案内部１１に設けられた挿入穴１２とを有している。嵌合部１３は半円筒状であるため、周方向に２箇所の端部１４が形成されている。すなわち、各端部１４間は離間しており、嵌合部１３が形成されていない。この実施の形態１においては、ＬＥＤ２０の直径は３２ｍｍであり、嵌合部１３は直径３２ｍｍのＬＥＤに嵌合可能な形状及び大きさに形成されている。また、嵌合部１３の２箇所の端部１４には、嵌合部１３が延びる方向に平行に形成された突起部１５が、径方向内側にそれぞれ形成されている。挿入穴１２は挿入部を構成しており、嵌合部１３は取付部を構成している。なお、ＬＥＤ２０の直径は３２ｍｍ以外の任意の直径であってもよく、嵌合部１３は直径３２ｍｍ以外のＬＥＤ２０に嵌合可能な任意の形状及び大きさに形成されていてもよい。
【００１７】
図３はスパイラルチューブ用治具１０の平面図である。嵌合部１３はＬＥＤ２０（図１参照）の長手方向Ａに延びている。また、挿入穴１２はＬＥＤ２０の周方向であって、且つ長手方向Ａに垂直な方向Ｃに対して角度差θを有するＢ方向に延びている。すなわち、案内部１１は長手方向Ａに対して平行ではなく、上記挿入穴１２の方向Ｂの角度差θに相当する角度差を有するように形成されている。この挿入穴１２の方向Ｂは、ＬＥＤ２０の長手方向Ａに対して、スパイラルチューブ３０（図１参照）が螺旋状に延びる方向と同じ方向であるように形成されている。さらに、挿入穴１２はスパイラルチューブ３０の幅よりもわずかに広く形成されている。
【００１８】
次に、この実施の形態１のスパイラルチューブ用治具１０を用いて、ＬＥＤ２０にスパイラルチューブ３０を取付ける方法について説明する。
図４及び図５に示すように天井等に設置されているＬＥＤ２０に対し、作業者はスパイラルチューブ用治具１０の、嵌合部１３の各端部１４間の離間部にＬＥＤ２０を挿入するようにして、ＬＥＤ２０にスパイラルチューブ用治具１０を取付ける。これにより嵌合部１３がＬＥＤ２０に嵌合する。このとき、ＬＥＤ２０の周方向のうち半周部分には表面に溝部２３が形成されている。そこで、スパイラルチューブ用治具１０の端部１４の突起部１５が、溝部２３に嵌合するようにスパイラルチューブ用治具１０をＬＥＤ２０に取付ける。これによりＬＥＤ２０に対してスパイラルチューブ用治具１０が固定され、スパイラルチューブ用治具１０が周方向に回転することを妨げられる。
【００１９】
次に、図６に示すように作業者は案内部１１の挿入穴１２にスパイラルチューブ３０の先端を挿入する。スパイラルチューブ３０の螺旋状に延びる方向Ｅと、挿入穴１２の方向Ｂとは同じであるため、挿入穴１２に沿ってスパイラルチューブ３０が挿入される。次に、図７に示すように作業者は挿入穴１２の手前においてスパイラルチューブ３０をその螺旋の方向Ｄに回転させることで、スパイラルチューブ３０が挿入穴１２にさらに挿入され、挿入穴１２を通過後螺旋状に延びる方向Ｅへ進みつつＬＥＤ２０の表面に巻付けられる。すなわち、作業者がその場でスパイラルチューブ３０を螺旋の方向Ｄに回転させながら挿入穴１２に挿入することで、スパイラルチューブ３０はＬＥＤ２０の表面に巻付けられる。
【００２０】
次に、挿入穴１２に沿ってスパイラルチューブ３０の挿入を続けると、図１に示すようにスパイラルチューブ３０の先端が第２ＬＥＤ端部２２まで到達する。これにより、スパイラルチューブ３０がＬＥＤ２０の表面に螺旋状に巻付けられた状態で保持される。この状態で第１ＬＥＤ端部２１側の、挿入穴１２に挿入される前の位置において、ＬＥＤ２０に巻付けられていないスパイラルチューブ３０を切断し、スパイラルチューブ用治具１０を外すことによりＬＥＤ２０へのスパイラルチューブ３０の取付が完了する。
【００２１】
上記のようにスパイラルチューブ用治具１０を用いてＬＥＤ２０にスパイラルチューブ３０を取付ける場合には、スパイラルチューブ３０の巻きつけに伴いスパイラルチューブ用治具１０をＬＥＤ２０に対して回転する必要がなく、またスパイラルチューブ３０をＬＥＤ２０の周囲に周回させる必要がない。そのため、ＬＥＤ２０の周囲のスペースが狭小であり、スパイラルチューブ用治具１０の回転及びスパイラルチューブ３０の周回に要するスペースが確保できない場合、又はスパイラルチューブ用治具１０の回転及びスパイラルチューブ３０の周回作業をするため、作業者の手を挿入するスペースが確保できない場合であっても、スパイラルチューブ３０を螺旋の方向Ｄに回転させながら挿入穴１２に挿入するだけでＬＥＤ２０にスパイラルチューブ３０を巻付けることができる。
【００２２】
また、この場合には作業中にスパイラルチューブ用治具１０を第１ＬＥＤ端部２１から移動させる必要がない。このため、作業者の移動が制限される場所であっても、作業者が移動することなく手元においてスパイラルチューブ用治具１０の挿入穴１２にスパイラルチューブ３０を挿入する挿入作業を行うだけで、ＬＥＤ２０の全長にわたりスパイラルチューブ３０を巻付けることができる。
【００２３】
また、スパイラルチューブ３０の螺旋状に延びる方向Ｅと、挿入穴１２の方向Ｂとは同じであるため、スパイラルチューブ３０は挿入穴１２に沿ってスムーズにＬＥＤ２０に巻き付けられ、スパイラルチューブ３０の巻付け緩みが発生しづらく巻付けの作業性も向上する。
【００２４】
このように、円柱状のＬＥＤ２０にスパイラルチューブ３０を取付け又は取外すスパイラルチューブ用治具１０であって、ＬＥＤ２０に取付可能な嵌合部１３と、嵌合部１３に接続され、スパイラルチューブ３０を案内する案内部１１と、案内部１１に設けられ、スパイラルチューブ３０を挿入可能な挿入穴１２とを備え、挿入穴１２の方向Ｂは、ＬＥＤ２０の周方向であって、ＬＥＤ２０の長手方向Ａに垂直な方向Ｃに対し、角度差θを有する方向であるため、細長部材の周囲において治具を回転させることなくスパイラルチューブを細長部材に取付けることができる。
【００２５】
また、円柱状の細長部材にスパイラルチューブを取付けるスパイラルチューブ取付け方法であって、円柱状のＬＥＤ２０に取付可能な嵌合部１３と、嵌合部１３に接続され、スパイラルチューブ３０を案内する案内部１１と、案内部１１に設けられ、スパイラルチューブ３０を挿入可能な挿入穴１２とを備え、挿入穴１２の方向Ｂは、ＬＥＤ２０の周方向であって、ＬＥＤ２０の長手方向Ａに垂直な方向Ｃに対し、角度差を有する方向であるスパイラルチューブ用治具１０を、ＬＥＤ２０に取付け、スパイラルチューブ３０を挿入穴１２に挿入してＬＥＤ２０に取付けるため、細長部材の周囲において治具を回転させることなくスパイラルチューブを細長部材に取付けることができる。
【００２６】
なお、実施の形態１においては、図３に示すようにスパイラルチューブ用治具１０の挿入穴１２の方向Ｂは、ＬＥＤ２０の長手方向Ａに対して予め決められた一定の角度差θの方向であったが、例えば半円筒状の嵌合部１３の径方向を中心軸として、案内部１１を回転可能に構成すること等により、挿入穴１２の方向Ｂを長手方向Ａに対して調整可能に構成されていてもよい。
【００２７】
このように案内部１１が、ＬＥＤ２０の径方向を軸に回転可能に設けられているため、挿入穴１２の方向ＢをＬＥＤ２０の長手方向Ａに対して調整することができ、異なる螺旋の角度を有するスパイラルチューブ３０の取付けに対応することができる。
【００２８】
また、嵌合部１３は、ＬＥＤ２０の表面に形成された溝部２３に嵌合可能な突起部１５を有するため、スパイラルチューブ用治具１０がＬＥＤ２０の周方向に回転することを妨げることができる。
【００２９】
また、スパイラルチューブ３０を、作業者がスパイラルチューブ３０の螺旋の方向Ｄに回転させながら挿入穴１２に挿入するため、作業者は移動することなく手元において挿入作業をするだけでＬＥＤ２０の全長にわたりスパイラルチューブ３０を巻付けることができる。
【００３０】
なお、実施の形態１においては、挿入穴１２の方向Ｂはスパイラルチューブ３０の螺旋状に延びる方向Ｅと同じであったが、スパイラルチューブ３０の挿入に支障のない範囲であれば挿入穴１２の方向Ｂとスパイラルチューブ３０の螺旋状に延びる方向とが異なっていてもよい。さらに、挿入穴１２はスパイラルチューブ３０の幅よりもわずかに大きく形成されていたが、スパイラルチューブ３０の挿入に支障がない範囲であれば挿入穴１２の形状及び大きさは任意の形状及び大きさに形成されてもよい。さらにまた、挿入穴１２は案内部１１により画定され案内部１１を貫徹する穴であったが、スパイラルチューブ３０の案内に支障がなければ、例えば嵌合部１３の径方向に対して開放された部分を有するような任意の形状を有していてもよい。
【００３１】
また、実施の形態１においては、ＬＥＤ２０の半周部分には表面に溝部２３が形成されており、スパイラルチューブ用治具１０の端部１４の突起部１５が溝部２３に嵌合し、ＬＥＤ２０に対してスパイラルチューブ用治具１０を固定することで、スパイラルチューブ用治具１０が周方向に回転することを妨げていたが、ＬＥＤ２０の全周に溝部２３が形成されていてもよい。さらに、ＬＥＤ２０の表面に溝部２３を形成せず、端部１４がＬＥＤ２０を押圧する力によってＬＥＤ２０に対してスパイラルチューブ用治具１０を固定することで、スパイラルチューブ用治具１０が周方向に回転することを妨げてもよい。
【００３２】
また、実施の形態１においては、ＬＥＤ２０に半円筒状の嵌合部１３が嵌合することによりＬＥＤ２０にスパイラルチューブ用治具１０が取り付けられていたが、スパイラルチューブ用治具１０が例えばクランプ等の把持部材を嵌合部１３に代えて有し、把持部材によりＬＥＤ２０を把持することによりＬＥＤ２０にスパイラルチューブ用治具１０を取付けてもよい。
【００３３】
また、実施の形態１においては、ＬＥＤ２０の照射する光を吸収し蓄光する蓄光剤を含有するスパイラルチューブ３０が用いられていたが、蓄光剤を含有する代わりに表面に蓄光剤を塗布したスパイラルチューブ３０を用いても同様の効果を得ることができる。また、スパイラルチューブ３０は透明な樹脂を用いたスパイラルチューブであったが、不透明又は半透明な樹脂を用いたスパイラルチューブであってもよい。
【００３４】
実施の形態２．
次に、この発明の実施の形態２について説明する。この発明の実施の形態２は、実施の形態１に対して、スパイラルチューブ用治具の嵌合部にアタッチメントを設け、アタッチメントによりＬＥＤを保持するようにしたものである。
【００３５】
図８Ａに示すように、スパイラルチューブ用治具１０は、嵌合部１３に取付け可能なアタッチメント１６を有している。アタッチメント１６は、嵌合部１３の端部１４に嵌合可能なアタッチメント溝部１７を有している。また、アタッチメント１６はアタッチメント溝部１７を挟んで厚板部１６ａと薄板部１６ｂとを有している。さらに、アタッチメント１６は保持部材を構成している。その他の構成は実施の形態１と同じである。
【００３６】
次に、この実施の形態２におけるＬＥＤ２０にスパイラルチューブ３０を取付けるために、ＬＥＤ２０にスパイラルチューブ用治具１０を取付ける方法について説明する。
図８Ｂに示すように、直径３２ｍｍ用の嵌合部１３に直径２２ｍｍのＬＥＤ２０を挿入する。次に、アタッチメント１６のアタッチメント溝部１７を、嵌合部１３の端部１４に嵌合することでアタッチメント１６がスパイラルチューブ用治具１０に取付けられる。このとき、アタッチメント１６は厚板部１６ａが内側になるように取り付けられる。
【００３７】
図８Ｃに示すように、直径３２ｍｍ用の嵌合部１３の端部１４に、アタッチメント１６を取付けることにより、直径２２ｍｍのＬＥＤ２０に各アタッチメント１６の厚板部１６ａが接触して押圧する。これによりＬＥＤ２０が嵌合部１３に保持され、スパイラルチューブ用治具１０がＬＥＤ２０に取付けられる。
【００３８】
また、他の直径のＬＥＤ２０にスパイラルチューブ用治具１０を取付ける場合を以下に説明する。図９Ａ，図９Ｂに示すように、アタッチメント１６を薄板部１６ｂが内側になるようにして嵌合部１３に取り付ける。この変形例では、図９Ｂに示すように直径３２ｍｍ用の嵌合部１３に直径２８ｍｍのＬＥＤ２０を挿入し、次に図９Ｃに示すように、直径３２ｍｍ用の嵌合部１３の端部１４に、アタッチメント１６を薄板部１６ｂが内側になるようにして取付けることにより、直径２８ｍｍのＬＥＤ２０に各アタッチメント１６が接触して押圧する。これによりＬＥＤ２０が嵌合部１３に保持され、スパイラルチューブ用治具１０がＬＥＤ２０に取付けられる。
【００３９】
このように、嵌合部１３は半円筒状の形状を有し、嵌合部１３の周方向の端部１４に、ＬＥＤ２０に接触してＬＥＤ２０を保持する保持部材が設けられるため、直径の大きなＬＥＤ２０に対応する嵌合部１３を有するスパイラルチューブ用治具１０に、より直径の小さなＬＥＤ２０を取付けることができ、取付作業の柔軟性が向上する。
【００４０】
また、ＬＥＤ２０の径に合わせてアタッチメント１６の取付方向を変更することで、同じアタッチメント１６を用いつつ直径２２ｍｍ及び直径２８ｍｍの２種類のＬＥＤ２０を嵌合部１３に嵌合させることができるため、スパイラルチューブ用治具１０の部品の種類を増やすことなく異なる直径を有するＬＥＤに取付けることができる。
【００４１】
なお、実施の形態２においては、アタッチメント１６は直径２２ｍｍ及び直径２８ｍｍのＬＥＤ２０に接触して、嵌合部１３に嵌合させることができる厚板部１６ａ及び薄板部１６ｂを有していたが、アタッチメント１６はこれ以外の任意の直径を有するＬＥＤ２０に接触して、嵌合部１３に嵌合させることができる形状及び大きさを有していてもよい。また、実施の形態２においてはアタッチメント１６が２個設けられていたが、アタッチメント１６を一個のみ設け、アタッチメント１６と、アタッチメント１６の設けられていない端部１４とにＬＥＤ２０を接触させて嵌合部１３に保持する構成であってもよい。
【００４２】
実施の形態３．
次に、この発明の実施の形態３について説明する。この発明の実施の形態３は、実施の形態１に対して、送り出されるスパイラルチューブ３０を案内する第２案内部を設けたものである。
【００４３】
図１０に示すように、取外し部材４０は、円筒状部材の周方向の一部が形成されていない形状である半円筒状の支持部４１と、支持部４１の内側に設けられた第２突起部４２と、支持部４１から延びる支柱４３と、支柱４３の端部に設けられた周方向の一部に離間部を有し、スパイラルチューブ３０（図１参照）を支持可能な長さを有する半円筒状の案内樋部４４とを有している。案内樋部４４は、第２案内部を構成している。その他の構成は実施の形態１と同じである。
【００４４】
次に、この実施の形態３における取外し部材４０の使用について説明する。
取外し部材４０は、実施の形態１に示したようにＬＥＤ２０の表面にスパイラルチューブ３０を巻付け、取付けた状態からスパイラルチューブ３０を取外すときに用いられる。
【００４５】
図１１に示すように、第２ＬＥＤ端部２２にスパイラルチューブ用治具１０の嵌合部１３を嵌合し、ＬＥＤ２０にスパイラルチューブ用治具１０を取付ける。次に、第２ＬＥＤ端部２２に取外し部材４０の支持部４１を嵌合し、ＬＥＤ２０に取外し部材４０を取付ける。第２突起部４２が押圧することにより支持部４１は第２ＬＥＤ端部２２に強固に取り付けられる。ここで、第２案内部の支柱４３（図１０参照）はＬＥＤ２０の長手方向に延びている。また、支柱４３の端部に設けられた案内樋部４４は、スパイラルチューブ３０の螺旋状に延びる方向Ｅ（図７参照）において、案内部１１よりも後側であって且つ案内部１１に近い位置に設けられている。そして、案内樋部４４は、スパイラルチューブ用治具１０の案内部１１の挿入穴１２の延びる方向Ｂと同じ方向に延びるように形成されている。
【００４６】
次に、作業者がスパイラルチューブ３０を螺旋状に延びる方向Ｅに押し出すと、スパイラルチューブ３０は第２ＬＥＤ端部２２に設けられたスパイラルチューブ用治具１０の挿入穴１２に挿入される。さらに作業者がスパイラルチューブ３０を螺旋状に延びる方向Ｅへ押し出すと、挿入穴１２を通ったスパイラルチューブ３０は案内樋部４４の表面に沿って移動する。すなわち、スパイラルチューブ３０はＬＥＤ２０の表面から離れていく。案内樋部４４により、スパイラルチューブ３０を螺旋状に延びる方向Ｅに押し出したときにスパイラルチューブがＬＥＤ２０の表面に再度巻付くことがなく、簡単にスパイラルチューブ３０をＬＥＤ２０から取外すことができる。
【００４７】
このように、挿入穴１２の方向Ｂに沿って形成された案内樋部４４を有し、スパイラルチューブ３０は、挿入穴１２に挿入された後に案内樋部４４に沿って移動するため、スパイラルチューブ３０をＬＥＤ２０の周囲を回転させることなく簡単にＬＥＤ２０から取外すことができる。
【００４８】
また、ＬＥＤ２０に取付け可能な嵌合部１３と、嵌合部１３に接続され、スパイラルチューブ３０を案内する案内部１１と、案内部１１に設けられ、スパイラルチューブ３０を挿入可能な挿入穴１２とを備え、挿入穴１２の方向Ｂは、ＬＥＤ２０の周方向であって、ＬＥＤ２０の長手方向Ａに垂直な方向Ｃに対し、角度差θを有する方向であるスパイラルチューブ用治具１０を、ＬＥＤ２０に取付け、挿入穴１２の方向Ｂに沿って形成された案内樋部４４をＬＥＤ２０に取付け、スパイラルチューブ３０は、挿入穴１２に挿入された後に案内樋部４４に沿って移動してＬＥＤ２０から取外されるため、スパイラルチューブ３０をＬＥＤ２０の周囲を回転させることなく簡単にＬＥＤ２０から取外すことができる。
【００４９】
なお、実施の形態３においては、案内樋部４４は半円筒状の形状を有していたが、スパイラルチューブ３０を案内可能であればこれ以外の形状であってもよい。また、案内樋部４４は、挿入穴１２の延びる方向Ｂと同じ方向に延びるように形成されていたが、スパイラルチューブ３０を案内可能な範囲で挿入穴１２の延びる方向Ｂとずれた方向に形成されていてもよい。
【００５０】
また、実施の形態１〜３では、ＬＥＤ２０にスパイラルチューブ３０を巻付けていたが、スパイラルチューブ３０を取付ける対象の細長部材はＬＥＤ２０でなくともよい。例えば、ＬＥＤ２０に代えて直管形蛍光灯に取付けてもよいし、階段の手すり、扉の取手、水道管等の各種管材及びワイヤー等の、任意の細長部材に取付けてもよい。
【符号の説明】
【００５１】
１１  案内部、１２  挿入穴（挿入部）、１３  嵌合部（取付部）、１４  端部、１５  突起部、１６  アタッチメント（保持部材）、２０  ＬＥＤ（細長部材）、２３  溝部、３０  スパイラルチューブ、４４  案内樋部（第２案内部）、Ａ  長手方向、Ｂ  挿入穴の方向（挿入部の方向）、Ｃ  垂直な方向、Ｄ  螺旋の方向。
【図１】
2020157403.tif 000003
【図２】
2020157403.tif 000004
【図３】
2020157403.tif 000005
【図４】
2020157403.tif 000006
【図５】
2020157403.tif 000007
【図６】
2020157403.tif 000008
【図７】
2020157403.tif 000009
【図８Ａ】
2020157403.tif 000010
【図８Ｂ】
2020157403.tif 000011
【図８Ｃ】
2020157403.tif 000012
【図９Ａ】
2020157403.tif 000013
【図９Ｂ】
2020157403.tif 000014
【図９Ｃ】
2020157403.tif 000015
【図１０】
2020157403.tif 000016
【図１１】
2020157403.tif 000017